(57)【特許請求の範囲】
【請求項１】
照明光を発する光源と、前記照明光の光強度を検出する光センサとをそれぞれ有する複数の灯具と、
前記光センサに検出させた前記照明光の光強度を記憶可能なメモリと、
前記光源に所定の基準電流を供給し、前記光センサに前記照明光の光強度を検出させ、前記光センサにより検出された前記光強度を基準強度として前記メモリに格納させる基準採取モードと、前記光源に前記基準電流を供給し、前記光センサに前記照明光の光強度を検出させ、前記基準強度に基づいて算出される閾値と前記照明光の光強度との比較に基づいて前記光源が劣化していると判別する劣化判別モードとを有するプロセッサと、を備え、
前記プロセッサは、前記複数の灯具の中の何れか一つの灯具を注目灯具に、前記注目灯具の周囲の前記灯具を周囲灯具に指定可能であり、
前記基準採取モードにおいて、前記プロセッサは、前記注目灯具の前記光源に前記基準電流を供給して前記照明光を発光させ、前記注目灯具の前記光センサおよび前記周囲灯具の前記光センサによって検出された光強度をそれぞれ第１の前記基準強度および第２の前記基準強度として、前記灯具別に前記メモリに記憶させる
ことを特徴とする照明制御システム。
【請求項２】
請求項１に記載の照明制御システムであって、
前記劣化判別モードにおいて、前記プロセッサは、前記複数の灯具を順番に前記注目灯具に指定し、前記注目灯具の前記光源に前記基準電流を供給して前記照明光を発光させ、前記注目灯具の前記光センサに前記照明光の光強度を第１の光強度として検出させ、前記周囲灯具の前記光センサに前記照明光の光強度を第２の光強度として検出させ、前記注目灯具の前記光源に対応して記憶された前記第１の基準強度および前記第２の基準強度に基づいて算出される前記閾値と前記第１の光強度および前記第２の光強度により算出される評価値との比較に基づいて前記注目灯具の前記光源が劣化していると判別する
ことを特徴とする照明制御システム。
【請求項３】
請求項２に記載の照明制御システムであって、前記閾値は前記第１の基準強度と前記第２の基準強度との重付け平均値に所定の係数を乗じることにより算出され、前記評価値は前記第１の光強度と前記第２の光強度との重付け平均値であることを特徴とする照明制御システム。
【請求項４】
請求項３に記載の照明制御システムであって、前記閾値の算出における前記第１の基準強度への重付けと前記評価値の算出における前記第１の光強度への重付けは同一であり、前記閾値の算出における前記第２の基準強度への重付けと前記評価値の算出における前記第２の光強度への重付けは同一であり、前記閾値の算出における前記第１の基準強度への重付けは前記第２の基準強度への重付けより大きいことを特徴とする照明制御システム。
【請求項５】
請求項２〜４のいずれか１項に記載の照明制御システムであって、前記プロセッサは、前記劣化判別モードにおいて、同一の前記光源の前記照明光を受光する複数の前記光センサで検出したそれぞれの前記光強度の、対応する前記基準強度からの変動を比較することにより前記複数の光センサのいずれかが劣化していると判別することを特徴とする照明制御システム。
【請求項６】
請求項５に記載の照明制御システムであって、前記プロセッサは、劣化していると判別した前記光センサによって検出される前記第１の光強度および前記第２の光強度を前記光源の劣化の判別から除外することを特徴とする照明制御システム。
【請求項７】
照明光を発する光源と前記照明光の光強度を検出する光センサとをそれぞれ有する複数の灯具における前記光センサに検出させた前記照明光の光強度を記憶可能なメモリと、
前記光源に所定の基準電流を供給し、前記光センサに前記照明光の光強度を検出させ、前記光センサにより検出された前記光強度を基準強度として前記メモリに格納させる基準採取モードと、前記光源に前記基準電流を供給し、前記光センサに前記照明光の光強度を検出させ、前記基準強度に基づいて算出される閾値と前記照明光の光強度との比較に基づいて前記光源が劣化していると判別する劣化判別モードとを有するプロセッサと、を備え、
前記プロセッサは、前記複数の灯具の中の何れか一つの灯具を注目灯具に、前記注目灯具の周囲の前記灯具を周囲灯具に指定可能であり、
前記基準採取モードにおいて、前記プロセッサは、前記注目灯具の前記光源に前記基準電流を供給して前記照明光を発光させ、前記注目灯具の前記光センサおよび前記周囲灯具の前記光センサによって検出された光強度をそれぞれ第１の前記基準強度および第２の前記基準強度として、前記灯具別に前記メモリに記憶させる
ことを特徴とする照明制御装置。
【請求項８】
基準採取モードの実行時に、照明光を発する光源に所定の基準電流を供給し、前記光源を有する複数の灯具にそれぞれ設けられる光センサに前記照明光の光強度を検出させ、前記光センサにより検出された前記光強度を基準強度としてメモリに格納させるステップと、
劣化判別モードの実行時に、前記光源に前記基準電流を供給し、前記光センサに前記照明光の光強度を検出させ、前記基準強度に基づいて算出される閾値と前記照明光の光強度との比較に基づいて前記光源が劣化していると判別させるステップと、を備え、
少なくとも前記基準採取モードにおいて、前記複数の灯具の中の何れか一つの灯具を注目灯具に、前記注目灯具の周囲の前記灯具を周囲灯具に指定可能であり、
前記基準採取モードにおいて、前記注目灯具の前記光源に前記基準電流を供給して前記照明光を発光させ、前記注目灯具の前記光センサおよび前記周囲灯具の前記光センサによって検出された光強度をそれぞれ第１の前記基準強度および第２の前記基準強度として、前記灯具別に前記メモリに記憶させる
ことを特徴とする照明制御方法。
【発明の詳細な説明】
【技術分野】
【０００１】
本発明は、複数の灯具それぞれの劣化情況を正確に判別する照明制御装置、照明制御システム、および照明制御方法に関するものである。
【背景技術】
【０００２】
従来、各灯具は単独のスイッチによって点灯と消灯の切替操作が行われていた。しかし、近年、灯具による照明状態の調整や灯具の管理などを行う照明制御装置が提案されている（特許文献１、２参照）。
【先行技術文献】
【特許文献】
【０００３】
【特許文献１】特開２００９−１９１５７５号公報
【特許文献２】特開２０１０−２５１９３８号公報
【発明の概要】
【発明が解決しようとする課題】
【０００４】
照明制御装置によって、灯具の保守管理を行うことも望まれている。灯具に用いられる光源の中には、例えばＬＥＤのように、経年劣化により徐々に出射光量が減少するものがある。それゆえ、明るさが急激に変化するものでなく、点検時期および交換時期の判別が困難であった。そこで、光源の経年劣化状態を定量的に判別することが求められていた。
【０００５】
光源の劣化状態を定量的に判別するために、光源から出射する照明光の光強度を光センサによって検出することが考えられる。劣化したと判別される光源の出射光の光強度を、一定の値に予め定め、予め定められた値と検出した光強度とを比較することにより光源の劣化状態を判別可能である。
【０００６】
ところで、光センサによって検出される光には、光源の出射光以外の光も混入し得る。それゆえ、光センサによって検出される光の光強度は、灯具の配置によって変動する。例えば、窓際に配置した灯具においては、窓から離れた位置の灯具よりも高い光強度が検出される。それゆえ、一定の値である閾値と光センサに検出された光強度との比較では、光源の劣化判別の正確性が低下する。
【０００７】
したがって、かかる事情に鑑みてなされた本発明の目的は、光源の劣化状態を正確に判別する照明制御システム、照明制御装置、および照明制御方法を提供することにある。
【課題を解決するための手段】
【０００８】
上述した諸課題を解決すべく、本発明による照明制御システムは、
照明光を発する光源と、照明光の光強度を検出する光センサとをそれぞれ有する複数の灯具と、
光センサに検出させた照明光の光強度を記憶可能なメモリと、
光源に所定の基準電流を供給し、光センサに照明光の光強度を検出させ、光センサにより検出された光強度を基準強度としてメモリに格納させる基準採取モードと、光源に基準電流を供給し、光センサに照明光の光強度を検出させ、基準強度に基づいて算出される閾値と照明光の光強度との比較に基づいて光源が劣化していると判別する劣化判別モードとを有するプロセッサと、を備え、
プロセッサは、複数の灯具の中の何れか一つの灯具を注目灯具に、注目灯具の周囲の灯具を周囲灯具に指定可能であり、
基準採取モードにおいて、プロセッサは、注目灯具の光源に基準電流を供給して照明光を発光させ、注目灯具の光センサおよび周囲灯具の光センサによって検出された光強度をそれぞれ第１の基準強度および第２の基準強度として、灯具別にメモリに記憶させる
ことを特徴とするものである。
【０００９】
なお、
劣化判別モードにおいて、プロセッサは、複数の灯具を順番に注目灯具に指定し、注目灯具の光源に基準電流を供給して照明光を発光させ、注目灯具の光センサに照明光の光強度を第１の光強度として検出させ、周囲灯具の光センサに照明光の光強度を第２の光強度として検出させ、注目灯具の光源に対応して記憶された第１の基準強度および第２の基準強度に基づいて算出される閾値と第１の光強度および第２の光強度により算出される評価値との比較に基づいて注目灯具の前記光源が劣化していると判別する
ことが好ましい。
【００１０】
また、
閾値は第１の基準強度と第２の基準強度との重付け平均値に所定の係数を乗じることにより算出され、評価値は第１の光強度と第２の光強度との重付け平均値である
ことが好ましい。
【００１１】
また、
閾値の算出における第１の基準強度への重付けと評価値の算出における第１の光強度への重付けは同一であり、閾値の算出における第２の基準強度への重付けと評価値の算出における第２の光強度への重付けは同一であり、閾値の算出における第１の基準強度への重付けは第２の基準強度への重付けより大きい
ことが好ましい。
【００１２】
また、
プロセッサは、劣化判別モードにおいて、同一の光源の照明光を受光する複数の光センサで検出したそれぞれの光強度の、対応する基準強度からの変動を比較することにより複数の光センサのいずれかが劣化していると判別する
ことが好ましい。
【００１３】
また、
プロセッサは、劣化していると判別した光センサによって検出される第１の光強度および第２の光強度を光源の劣化の判別から除外する
ことが好ましい。
【００１４】
また、本発明による照明制御装置は、
照明光を発する光源と照明光の光強度を検出する光センサとをそれぞれ有する複数の灯具における光センサに検出させた照明光の光強度を記憶可能なメモリと、
光源に所定の基準電流を供給し、光センサに照明光の光強度を検出させ、光センサにより検出された光強度を基準強度としてメモリに格納させる基準採取モードと、光源に基準電流を供給し、光センサに照明光の光強度を検出させ、基準強度に基づいて算出される閾値と照明光の光強度との比較に基づいて光源が劣化していると判別する劣化判別モードとを有するプロセッサと、を備え、
前記プロセッサは、前記複数の灯具の中の何れか一つの灯具を注目灯具に、前記注目灯具の周囲の前記灯具を周囲灯具に指定可能であり、
前記基準採取モードにおいて、前記プロセッサは、前記注目灯具の前記光源に前記基準電流を供給して前記照明光を発光させ、前記注目灯具の前記光センサおよび前記周囲灯具の前記光センサによって検出された光強度をそれぞれ第１の前記基準強度および第２の前記基準強度として、前記灯具別に前記メモリに記憶させる
ことを特徴としている。
【００１５】
また、本発明による照明制御方法は、
基準採取モードの実行時に、照明光を発する光源に所定の基準電流を供給し、光源を有する複数の灯具にそれぞれ設けられる光センサに照明光の光強度を検出させ、光センサにより検出された光強度を基準強度としてメモリに格納させるステップと、
劣化判別モードの実行時に、光源に基準電流を供給し、光センサに照明光の光強度を検出させ、基準強度に基づいて算出される閾値と照明光の光強度との比較に基づいて光源が劣化していると判別させるステップと、を備え、
少なくとも基準採取モードにおいて、複数の灯具の中の何れか一つの灯具を注目灯具に、注目灯具の周囲の灯具を周囲灯具に指定可能であり、
基準採取モードにおいて、注目灯具の光源に基準電流を供給して照明光を発光させ、注目灯具の光センサおよび周囲灯具の光センサによって検出された光強度をそれぞれ第１の基準強度および第２の基準強度として、灯具別にメモリに記憶させる
ことを特徴としている。
【発明の効果】
【００１６】
上記のように構成された本発明に係る照明制御システムによれば、光源の劣化状態を正確に判別することが可能である。
【図面の簡単な説明】
【００１７】
【図１】本発明の一実施形態に係る照明制御システムの構成を示すブロック図である。
【図２】灯具の構成図である。
【図３】任意の室内空間における複数の灯具の配置図である。
【図４】注目灯具と周囲灯具との位置関係を説明するための灯具の配置図である。
【発明を実施するための形態】
【００１８】
以下、本発明を適用した照明制御装置の実施形態について、図面を参照して説明する。
【００１９】
図１は、本発明の一実施形態に係る照明制御システムの構成を示すブロック図である。照明制御システム１００は、照明制御装置１０１、信号伝送線１０２、および灯具１０３を含んで構成される。照明制御装置１０１および複数の灯具１０３は、信号伝送線１０２を介して接続される。
【００２０】
図２に示すように、灯具１０３は、光源１０４および光センサ１０５を有する。光源１０４は例えばＬＥＤ光源であり、供給する電流を変えることにより出射光量を調整可能である。また、光センサ１０５は例えば照度センサであり、受光する光の光強度を検出することが可能である。
【００２１】
図３に示すように、複数の灯具１０３は、室内空間ｉｓにおいて３行４列の行列状に配置される。１２個の灯具１０３には、配置位置を示すアドレスが定められる。図３においては、窓ｗ側の１列目の上から１行目から３行目の配置位置のアドレスは、順番に１、２、３に定められる。また、窓ｗ側から２列目の１行目から３行目の配置位置のアドレスは４、５、６に定められる。同様に、窓ｗ側から３、４列目のそれぞれの配置位置の青ドレスが７〜１２に定められる。
【００２２】
なお、本実施形態においてアドレスは通し番号によって表されるが、灯具１０３の配置位置を示すどのような表現形式のアドレスを用いてもよい。例えば、２次元座標を、アドレスの表現形式にしてもよい。なお、以下の説明において、アドレスがｎ（ｎは正の整数）である灯具１０３の光源１０４を、第ｎの光源１０４と表記する。また、アドレスがｎである灯具１０３の光センサ１０５を、第ｎの光センサ１０５と表記する。
【００２３】
次に、照明制御装置１０１の構成について説明する。照明制御装置１０１は、プロセッサ１０６、モニタ１０７、メモリ１０８、およびキーボードあるいはマウスなの操作入力部１０９を含んで構成される。
【００２４】
照明制御装置１０１は、灯具１０３毎に光源１０４の劣化状態を判別するために、基準採取モードと劣化判別モードとを有する。以下に、詳細に説明するように、基準採取モードにおいて新品とみなせる光源１０４が発光する照明光に応じた光の基準強度を採取する。また、劣化判別モードにおいて光センサ１０５によって検出した光強度と基準強度に基づく閾値との比較によって光源１０４および光センサ１０５の劣化状態を判別する。
【００２５】
基準採取モードについて、以下に詳細に説明する。プロセッサ１０６は、基準採取モードを灯具１０３毎に実行する。基準強度の採取が望まれるのは、光源１０４が新品のときである。例えば、照明制御システム１００の設置時や特定の灯具１０３において光源１０４が交換されたときに、基準強度の採取が望まれる。
【００２６】
そこで、操作入力部１０９が光源１０４を交換した灯具１０３のアドレスの使用者による入力を検出することにより、プロセッサ１０６は特定の灯具１０３の光源１０４に対して基準強度を採取すべきと認識する。
【００２７】
特定の灯具１０３の光源１０４に対して基準強度を採取すべきとプロセッサ１０６が認識すると、定められた曜日および時間、例えば日曜日の深夜２時に、プロセッサ１０６は対象の光源１０４に対して基準採取モードを実行する。
【００２８】
基準採取モードを開始すると、プロセッサ１０６は、特定の灯具１０３を注目灯具に、注目灯具の行方向および列方向に隣接する周囲の灯具１０３を周囲灯具に指定する。例えば、図４に示すように、プロセッサ１０６が、アドレスが５である灯具１０３を注目灯具１０３ｎに指定すると、アドレスが２、４、６、８である灯具１０３を周囲灯具１０３ｓに指定する。
【００２９】
プロセッサ１０６は、注目灯具１０３ｎの光源１０４のみに基準電流を供給し、注目灯具１０３ｎの光源１０４のみから照明光を出射させる。プロセッサ１０６は注目灯具１０３ｎの光センサ１０５が受光する光の光強度を検出させる。検出させた光強度を第１の基準強度としてメモリ１０８に記憶させる。また、プロセッサ１０６は周囲灯具１０３ｓの光センサ１０５が受光する光の光強度を検出させ、検出した光強度を第２の基準強度としてメモリ１０８に記憶させる。
【００３０】
なお、光センサ１０５は、同じ灯具１０３の光源１０４から発する照明光だけでなく、他の灯具１０３の光源１０４から発する照明光も受光し得る。基準強度の採取対象の光源１０４以外の光源１０４から照明光が発せられると、基準強度に基づいて算出される閾値による劣化判別の信頼性が低下する。そこで、注目灯具１０３ｎの光源１０４のみを発光させることにより、劣化判別の信頼性を向上させることが可能である。
【００３１】
各灯具１０３の光源１０４毎に基準採取モードを実行することにより、表１に示すように、プロセッサ１０６は灯具１０３毎に第１の基準強度および第２の基準強度を取得し、メモリ１０８に記憶させる。第１の基準強度および第２の基準強度をメモリ１０８に記憶させると、基準採取モードは終了する。
【００３２】
【表１】
0005798439.tif 000002
なお、表１において、ＮＵＬＬとは、当該位置に周囲灯具が存在しないことを意味する。
【００３３】
なお、プロセッサ１０６は、任意の灯具１０３において検出された複数の第２の基準強度と第１の基準強度との加重平均値に、許容係数０．９を乗じた値を閾値として算出する。プロセッサ１０６は、算出した閾値をメモリ１０８に記憶する。
【００３４】
なお、閾値の算出における第１の基準強度への重付けは、閾値の算出に用いられる第２の基準強度の個数に定められる。すなわち、閾値の算出に４つの第２の基準強度が用いられる場合には、第１の基準強度への重付けは４である。また、閾値の算出における第２の基準強度への重付けは、１に定められる。
【００３５】
プロセッサ１０６は、算出した閾値を、後の劣化判別モードにおいて使用する。閾値の算出および記憶は、基準採取モードの実行時に行ってもよいし、基準採取モードの終了後の任意の時期に実行してもよい。
【００３６】
次に、劣化判別モードについて、以下に詳細に説明する。すべての灯具１０３に対して第１の基準強度および第２の基準強度がメモリ１０８に格納されている場合に、定められた曜日および時間、例えば、毎週日曜日の深夜２時に、プロセッサ１０６は劣化判別モードを実行する。
【００３７】
劣化判別モードを開始すると、プロセッサ１０６は、複数の灯具１０３すべてを順番に注目灯具１０３ｎに指定する。また、プロセッサ１０６は、注目灯具１０３ｎを指定するたびに注目灯具１０３ｎの行方向および列方向に隣接する周囲の灯具１０３を周囲灯具１０３ｓに指定する。
【００３８】
プロセッサ１０６は、注目灯具１０３ｎの光源１０４のみに基準電流を供給し、注目灯具１０３ｎの光源１０４のみから照明光を出射させる。プロセッサ１０６は、注目灯具１０３ｎの光センサ１０５に、受光する光の光強度を第１の光強度として検出させる。また、プロセッサ１０６は、周囲灯具１０３ｓの光センサ１０５に、受光する光の光強度を第２の光強度として検出させる。プロセッサ１０６は、検出した第１の光強度および第２の光強度をプロセッサ１０６内に設けられるバッファメモリに記憶させる。
【００３９】
複数の灯具１０３すべてに対して第１の光強度および第２の光強度を検出すると、プロセッサ１０６は各光源１０４が劣化しているか否かの判別と、各光センサ１０５が劣化しているか否かの判別を実行する。
【００４０】
光源１０４が劣化しているか否かの判別について説明する。劣化状態を判別する光源１０４を有する灯具１０３に対して検出された第１の光強度と第２の光強度とに基づいて、プロセッサ１０６は評価値を算出する。
【００４１】
なお、評価値は、灯具に対して検出された複数の第２の光強度と第１の光強度との加重平均値である。第１の光強度への重付けは、評価値の算出に用いる第２の光強度の数に定められる。また、第２の光強度への重付けは、１に定められる。
【００４２】
なお、後述する光センサ１０５の劣化判別により、劣化していると判別された光センサ１０５によって検出された第１の光強度および第２の光強度を、プロセッサ１０６は評価値の算出から除外する。なお、一部の光強度を評価値の算出から除外した場合には、対応する閾値も、劣化していると判別された光センサ１０５によって検出された第１の基準強度および第２の基準強度を除外して、再度算出する。
【００４３】
プロセッサ１０６は、評価値とメモリ１０８に格納された対応する閾値とを比較する。評価値が閾値より低い場合に、プロセッサ１０６は当該光源１０４が劣化状態であると判別する。劣化状態にある光源１０４のアドレスを、光源１０４のメンテナンスまたは交換を促すメッセージと合わせて、プロセッサ１０６はモニタ１０７に表示させる。
【００４４】
次に、光センサ１０５が劣化しているか否かの判別について説明する。任意の光センサ１０５に対して隣接する灯具１０３の光センサ１０５が劣化している可能性は低い。それゆえ、同じ照明光の光強度を検出する複数の光センサ１０５の中で、検出結果において異なる挙動がある場合には、検出結果の挙動が異なる光センサ１０５が劣化したと判別可能である。
【００４５】
具体的な判別方法の複数の例を、以下に説明する。なお、以下に説明する判別方法の複数の例のいずれかを単独で用いてもよいし、組合わせてもよい。また、複数の光センサ１０５による照明光の強度の検出結果に基づく他の判別方法を用いてもよい。
【００４６】
以下においては、第５の光センサ１０５が劣化している場合を例として、説明する。第１の例では、プロセッサ１０６は、第５の光センサ１０５によって検出される第１の光強度の前記第１の基準強度からの減少率を算出する。また、プロセッサ１０６は、第５の光源１０４に対して検出される第２の光強度、すなわち、第２、第４、第６、第８の光センサ１０５によって検出される光強度の前記第２の基準強度からの減少率を算出する。
【００４７】
第２、第４、第６、第８の光センサ１０５に対して算出した減少率の平均値に、例えば０．９などの許容係数を乗じた値より、第５の光センサ１０５に対して算出した減少率が低い場合には、プロセッサ１０６は第５の光センサ１０５が劣化していると判別する。
【００４８】
第２の例では、プロセッサ１０６は、第８の光センサ１０５によって検出される第１の光強度の第１の基準強度からの減少率を算出する。また、プロセッサ１０６は、第８の光源１０４に対して検出される第２の光強度、すなわち、第５、第７、第９、第１１の光センサ１０５によって検出される光強度の第２の基準強度からの減少率を算出する。
【００４９】
第７、第８、第９、第１１の光センサ１０５に対して算出した減少率の平均値に、例えば０．９などの許容係数を乗じた値より、第５の光センサ１０５に対して算出した減少率が低い場合には、プロセッサ１０６は第５の光センサ１０５が劣化していると判別する。
【００５０】
プロセッサ１０６は、劣化している光センサがあるときに、劣化している光センサ１０５のアドレスを、光センサ１０５のメンテナンスまたは交換を促すメッセージと合わせて、モニタ１０７に表示させる。
【００５１】
以上のような構成の本実施形態の照明制御システムによれば、特定の位置に配置された灯具１０３に設けられる光センサ１０５によって検出される基準強度に基づいて算出するので、灯具の配置に適した閾値を設定可能である。したがって、灯具の配置によらず、光源１０４の劣化判別の正確性を向上させることが可能である。
【００５２】
また、本実施形態の照明制御システムによれば、単一の光源１０４の照明光の光強度を複数の光センサ１０５によって検出するので、何れかの光センサ１０５の検出精度が劣化しても、当該光センサ１０５の劣化状態を判別可能である。
【００５３】
また、本実施形態の照明制御システムによれば、閾値および評価値を加重平均によって算出するので、複数の光センサ１０５の検出結果を使用しながら特定の光センサ１０５の検出結果の影響を高めることが可能である。例えば、注目灯具１０３ｎの光源１０４から発する照明光に対する光センサ１０５の感度は、周囲灯具１０３ｓより注目灯具１０３ｎの方が高い。それゆえ、注目灯具１０３ｎの光センサ１０５の検出結果を、周囲灯具１０３ｓの光センサの検出結果よりも、判別精度に高く影響させることが可能である。
【００５４】
なお、重付けは、それぞれの灯具１０３の配置などによって調整することが考えられる。例えば、判別対象となる光源１０４からの距離に応じて重付けを調整してもよい。
【００５５】
また、本実施形態によれば、単一の光源１０４から発せられる照明光の光強度を複数の光センサ１０５で検出し、または単一の光センサ１０５によって、複数の光源１０４から発せられる照明光を検出するので、光センサ１０５の劣化状態も判別可能である。
【００５６】
本発明を諸図面および実施例に基づき説明してきたが、当業者であれば本開示に基づき種々の変形あるいは修正を行うことが容易であることに注意されたい。従って、これらの変形あるいは修正は本発明の範囲に含まれることに留意されたい。
【００５７】
例えば、本実施形態において、基準採取モードおよび劣化判別モードを、日曜日の深夜２時に実行する構成であるが、他の日時に実行してもよい。また、実行する日時を設定可能な構成でもよい。灯具１０３が配置される室内空間ｉｓに入射する外部光が、基準採取モードおよび複数の劣化判別モード実行時それぞれにおいて一定とみなせる曜日や日時に設定することが好ましい。
【符号の説明】
【００５８】
１００  照明制御システム
１０１  照明制御装置
１０２  信号伝送線
１０３  灯具
１０４  光源
１０５  光センサ
１０６  プロセッサ
１０７  モニタ
１０８  メモリ
１０９  操作入力部
ｉｓ  室内空間
ｗ  窓
【図１】
0005798439.tif 000003
【図２】
0005798439.tif 000004
【図３】
0005798439.tif 000005
【図４】
0005798439.tif 000006